(57)【特許請求の範囲】
【請求項１】
デジタル放送を選局して受信する受信部と、
該受信部により受信した番組の映像を表示する表示部と、
前記デジタル放送の各チャンネルそれぞれで放送されている番組についての番組情報を取得する番組情報取得部と、
前記番組の映像とともに、取得した各チャンネルそれぞれの前記番組情報を、順次前記表示部に表示させるデジタル放送受信機において、
前記番組情報取得部で取得された前記番組情報を順次前記表示部に表示させる表示時間を選択するための表示時間設定メニューを生成し、該表示時間設定メニューで選択設定された表示時間に基づき前記番組情報の表示時間を制御する制御部とを備え、
前記表示時間設定メニューは、複数のチャンネルからなるチャンネル欄と表示時間選択欄とを有するチャンネル別表示時間設定メニューと、複数のジャンルからなるジャンル欄と表示時間選択欄とを有するジャンル別表示時間設定メニューとを含み、
前記チャンネル別表示時間設定メニューは、チャンネル毎に少なくとも、デフォルトの表示時間と、該デフォルトの表示時間からある時間だけ短縮又は伸長させた表示時間と、前記番組情報を表示させない表示時間０とから選択された第１の表示時間を選択設定可能であり、
前記ジャンル別表示時間設定メニューは、ジャンル毎に少なくとも、デフォルトの表示時間と、該デフォルトの表示時間からある時間だけ短縮又は伸長させた表示時間と、前記番組情報を表示させない表示時間０とから選択された第２の表示時間を選択設定可能であることを特徴とするデジタル放送受信機。
【請求項２】
前記チャンネル毎に選択設定された前記第１の表示時間又は前記ジャンル毎に選択設定された前記第２の表示時間のいずれか一方を優先的に適用する優先モード選択機能を有することを特徴とする請求項１に記載のデジタル放送受信機。
【請求項３】
前記制御部は、前記第１の表示時間と前記第２の表示時間とのうちいずれかがデフォルトに設定されている場合には、優先モードの設定にかかわらずデフォルトに設定されていない方の表示時間に基づいて表示する制御を行うことを特徴とする請求項２に記載のデジタル放送受信機。
【発明の詳細な説明】
【技術分野】
【０００１】
本発明は、デジタル放送受信機に関し、特に番組情報の表示技術に関する。
【背景技術】
【０００２】
デジタル放送受信機では、種々のデータを表示させることができる。視聴している番組に裏番組の情報を重ね合わせて表示する場合に、順次チャンネルリストをスクロールして、選択される番組の情報を表示する技術がある（特許文献１参照）。図９は、従来の裏番組情報表示画面の一例を示す図である。図９に示すように、デジタル放送受信機１００の表示画面１０１には、現在視聴中の視聴画面１０５に加えて、視聴中のチャネル情報（ここではＢＳ１０３）１０３と、裏番組情報１０７とが重畳されて表示されている。裏番組情報は例えば矢印１０９に示す方向に流れるように表示されるのが一般的である。
【０００３】
【特許文献１】特開２００５−９４３５５号公報
【発明の開示】
【発明が解決しようとする課題】
【０００４】
上記特許文献１に記載の技術では、デジタル放送のように裏番組の数が多くなると、ユーザが本当に見たい番組の情報が表示されるまでに時間がかかり過ぎて、結局はあまり役にたたないという問題がある。
本発明は、番組情報をできるたけ早く表示することを目的とする。
【課題を解決するための手段】
【０００５】
本発明の一観点によれば、テレビジョン放送を選局して受信する受信部と、該受信手段により受信した番組の映像を表示する表示部と、前記テレビジョン放送の各チャンネルそれぞれで放送されている番組についての番組情報を取得する番組情報取得部と、前記番組映像とともに、取得した各チャンネルそれぞれの前記番組情報を順次前記表示部に表示させる場合に番組情報の表示時間を可変に制御する番組情報表示制御部とを具えることを特徴とする番組情報表示装置が提供される。
【発明の効果】
【０００６】
本発明によれば、ユーザは簡単なリモコン操作により、本当に必要な番組情報のみを表示させることができる。従って、不要な番組情報の表示に要する時間を短縮又はなくし、優先度に応じた番組情報を得ることができるという利点がある。
【発明を実施するための最良の形態】
【０００７】
本明細書において、裏番組情報とは、例えば、チャネル番組、番組タイトル、放送時間、番組に関する説明などを含むものとして定義する。以下、本発明の実施の形態によるデジタル放送受信機について図面を参照しながら説明を行う。図１は、本実施の形態によるデジタル放送受信機の一構成例を示す機能ブロック図である。
【０００８】
図１に示すように、本実施の形態によるデジタル放送受信機Ａは、アンテナからの受信信号を入力するフロントエンド１と、多重化された信号を分離するデマルチプレクサ３と、映像信号と音声信号とをデコードするデコード部５と、音声を出力する音声出力部７と、デマルチプレクサ３からの出力である番組情報をデコードする番組情報デコード部１１と、裏番組データを生成する裏番組データ生成部１５と、映像信号と裏番組データとを合成する画面合成部１７と、合成した信号に基づき画面を表示する表示部２１と、時間を計時する時間計時部２７と、バスラインを介して上記各部を制御する制御部２５と、制御部へ制御信号を出力するリモコン受光部２３と、を有している。制御部（番組情報表示制御部）２５による制御処理は、図示しないＲＯＭ等に格納されているプログラムによって行われる。
【０００９】
以下、本実施の形態の特徴である制御部による制御処理について詳細に説明する。
本実施の形態によるデジタル放送受信機では、チャネル別又はジャンル別に裏番組情報を含む番組情報の表示時間を調整できるようになっている。図２は、チャネル別表示時間設定メニューの一例を示す図である。図３は、ジャンル別表示時間設定メニューの一例を示す図である。図２に示すように、チャネル別表示時間設定メニュー画面３１においては、チャネル欄３３と、チャネル表示の変更を行うためのスクロールボタン３２ａ・３２ｂと、表示時間選択欄３５、３７、３９と、を有している。この設定を、以下チャネルスキップ設定とも称する。スクロールボタン３２ａ・３２ｂによりメニュー表示させるチャネルをスクロールにより変更することができる。また、図３に示すように、ジャンル別表示時間設定メニュー画面４１においては、ジャンル欄４３と、ジャンル表示の変更を行うためのスクロールボタン４２ａ・４２ｂと、表示時間選択欄４５、４７、４９と、を有している。スクロールボタン４２ａ・４２ｂによりメニュー表示させるジャンルをスクロールにより変更することができる。この設定を、以下ジャンルスキップ設定とも称する。図２及び図３において、ハッチが施されている領域（ｘ）は現在設定がされている領域であり、ハッチが施されていない領域（ｙ）は現在設定されていない選択肢を示す。このように、表示時間は、チャネル毎にデフォルトの表示時間である例えば１０秒の他に、短縮モードとして例えば３秒と、表示を行わない０秒との選択肢を設けており、リモコンで選択・決定処理を行いやすいようになっている。リモコンで設定された時間は、リモコン受光部２３において受信され、制御部２５における下記の処理に用いられる。
【００１０】
図４は、スキップ設定の優先設定表示画面を示す図である。図４に示すように、スキップ設定の優先設定表示画面５１においては、チャネルスキップ設定の優先設定ボタン５３と、ジャンルスキップ設定の優先設定ボタン５５とが設けられており、リモコン操作によりいずれかを設定することができる。現在はハッチが施されている領域ｘはチャネルスキップ設定ボタン５３の方であり、ジャンルスキップ設定の優先設定ボタン５５にはハッチが施されていない（ｙ）。
【００１１】
尚、チャンネルスキップ設定で１０秒が設定されていた場合は、これはデフォルト値であるため、チャンネルスキップ設定が優先モードであっても、ジャンルスキップ設定で３秒もしくは０秒が設定されている場合は、そちらを優先するようにする。ジャンルスキップ設定の場合も同様に、ジャンルスキップ設定で１０秒が設定されていた場合は、これはデフォルト値であるため、ジャンルスキップ設定が優先モードであっても、チャネルスキップ設定で３秒もしくは０秒が設定されている場合は、そちらを優先するようにする。
【００１２】
図５及び図６は、本実施の形態による表示時間設定処理の流れを示すフローチャート図である。図５に示すように、ステップＳ０において処理を開始すると（Ｓｔａｒｔ）、ステップＳ１において、現在視聴中の番組のチャネル番号を取得する。次いで、ステップＳ２において、次のチャネル番号の番組情報を番組情報デコード部１１でデコードした情報に基づいて取得し、ステップＳ３において、チャネルスキップ優先かジャンルスキップ優先かを判定する。チャネルスキップ優先設定の場合には（ＹＥＳ）、ステップＳ４に、そうでない場合には（ＮＯ）ステップＳ１２に進む。
【００１３】
ステップＳ４においては、チャネルスキップ設定画面において表示時間が０秒に設定されているか否かを判定する。０秒に設定されている場合には、ステップＳ２に戻る。０秒以外に設定されている場合には、ステップＳ５に進み、チャネルスキップ設定で表示時間が３秒に設定されているか否かを判定する。ＮＯの場合にはステップＳ６に、ＹＥＳの場合にはステップＳ８に進む。ステップＳ６においては、ジャンルスキップ設定で表示時間が０秒に設定されているか否かを判定する。０秒に設定されている場合には（ＹＥＳ）、ステップＳ２に戻る。０秒に設定されていない場合には（ＮＯ）、ステップＳ７に進み、ジャンルスキップ設定で表示時間が３秒に設定されているか否かを判定する。ＮＯの場合には、ステップＳ１６に進む。ＹＥＳの場合には、ステップＳ８に進む。ステップＳ８においては、上記設定に沿って裏番組データ生成部１５で生成された情報を画面合成部１７で映像データと合成して表示部２１に表示し、ステップＳ１１において時間計時部２７において３秒カウントし、ステップＳ９において、全番組情報の表示が完了していない場合には（ＮＯ）、ステップＳ１０において次の番組情報を取得してステップＳ８に戻る。尚、全ての番組情報の表示が完了すると、ステップＳ２に戻る。
【００１４】
ステップＳ３において、ＮＯでステップＳ１２に進むと、ジャンルスキップ設定で表示時間が０秒に設定されているか否かを判定する。０秒に設定されている場合には（ＹＥＳ）、ステップＳ２に戻る。０秒に設定されていない場合には（ＮＯ）、ステップＳ１３に進み、ジャンルスキップ設定で表示時間が３秒に設定されているか否かを判定する。３秒に設定されている場合には（ＹＥＳ）、ステップＳ８に進み、設定された条件で番組表示を行う。３秒に設定されていない場合には（ＮＯ）、ステップＳ１４に進み、チャネルスキップ設定で表示時間が０秒に設定されているか否かを判断する。ＹＥＳの場合にはステップＳ２に戻る。ＮＯの場合には、ステップＳ１５に進み、チャネルスキップ設定で表示時間が３秒に設定されているか否かを判定する。ＹＥＳの場合にはステップＳ８に進み、番組情報を表示する。ＮＯの場合には、ステップＳ１６に進み、番組情報を表示する。次いで、ステップＳ１９に進み１０秒カウントした後にステップＳ１７に進み、全番組全番組の表示が完了していれば（ＹＥＳ）ステップＳ２に、そうでなければ（ＮＯ）ステップＳ１８において次の番組情報を取得しステップＳ１６に戻る。ステップＳ７においてＮＯでステップＳ１６に進む場合にも、同様に番組表示がされていく。表示はテロップ状又は切り替わり表示にしても良い。
【００１５】
図７及び図８は、図２から図４までにおいてそれぞれチャネル別表示時間設定優先の場合とジャンル別表示時間設定優先の場合の番組情報表示順序を示す図である。チャネル別表示時間設定優先の場合における実際の番組情報の表示順序は、図７（ａ）、（ｂ）に示すようになる。図７（ａ）は、表示６１は、チャネル欄６３と、ジャンル欄６４と、について表示時間がどのようになるかを示す図である。例えばＢＳ１４１は、図２に示すようにチャネル別設定はされておらず（デフォルト）、かつ、ジャンルがニュースであり、図３に示すようにニュースは０秒表示が設定されているため、表示は０秒となり（スキップ）、ＢＳ１５１はジャンルがアニメであり、図２に示すようにチャネル別設定はされておらず（デフォルト）、図３に示すようにアニメは１０秒表示が設定されているため、表示は１０秒となる。このように、それぞれの表示時間６５が設定され、符号６６〜７０までに示すように、番組情報が表示されることになる。番組情報の表示に絞って示したのが図７（ｂ）であり、表示としては０秒の設定のものがなくなるので、より迅速かつリモコン操作によりユーザの意志に基づく表示を優先させ、不要な表示をしないようにすることができる。
【００１６】
図８はジャンル別表示時間設定優先の場合の番組情報表示順序８１を示すものであり、チャネル欄８３と、ジャンル欄８４と、表示時間８５と表示の順序を示す矢印８６〜９０とが示され、図８（ｂ）には最終的に表示されるチャネルと表示順とが示される。
【００１７】
以上に説明したように、本実施の形態による番組情報表示技術によれば、ユーザは簡単なリモコン操作により、本当に必要な番組情報のみを表示させることができる。従って、不要な番組情報の表示に要する時間を短縮又はなくし、優先度に応じた番組情報を得ることができるという利点がある。
【００１８】
尚、上記実施の形態においては、ユーザ設定によりチャネルとジャンル毎の番組情報の表示時間をリモコン処理により行う例について説明したが、視聴した番組（チャネル、ジャンル）を記憶して統計処理を行った上で、その結果からユーザの嗜好を抽出して、ユーザの嗜好に沿って番組情報表示時間を自動的に設定するように構成しても良い。また、図２に示す設定画面をテレビの表示画面に代えて又は加えてリモコンに表示させるようにしても良い。また、図７に示す設定順序をメモリ記憶しておき、これに基づいて細かな変更を行うようにしても良い。図７（ａ）に示す設定前の表示順序と、図７（ｂ）に示す設定後の表示順序とを切り替えて表示できるようにすれば、設定時には図７（ａ）の画面を、設定の確認時には図７（ｂ）に示す画面を表示させることで視認性が向上する。
【産業上の利用可能性】
【００１９】
本発明は、デジタル放送受信装置に利用可能である。
【図面の簡単な説明】
【００２０】
【図１】本発明の一実施の形態によるデジタル放送受信機の一構成例を示す機能ブロック図である。
【図２】チャネル別表示時間設定メニューの一例を示す図である。
【図３】ジャンル別表示時間設定メニューの一例を示す図である。
【図４】スキップ設定の優先設定表示画面を示す図である。
【図５】本実施の形態による表示時間設定処理の流れを示すフローチャート図である。
【図６】本実施の形態による表示時間設定処理の流れを示すフローチャート図である。
【図７】図２から図４までにおいてチャネル別表示時間設定優先の場合の番組情報表示順序を示す図である。
【図８】図２から図４までにおいてジャンル別表示時間設定優先の場合の番組情報表示順序を示す図である。
【図９】従来の裏番組情報表示画面の一例を示す図である。
【符号の説明】
【００２１】
Ａ…デジタル放送受信機、１…フロントエンド、３…デマルチプレクサ、５…デコード部、７…音声出力部、１１…番組情報デコード部、１５…裏番組データ生成部、１７…画面合成部、２１…表示部、２７…時間計時部、２５…制御部。
【図１】
0004718296.tif 000002
【図２】
0004718296.tif 000003
【図３】
0004718296.tif 000004
【図４】
0004718296.tif 000005
【図５】
0004718296.tif 000006
【図６】
0004718296.tif 000007
【図７】
0004718296.tif 000008
【図８】
0004718296.tif 000009
【図９】
0004718296.tif 000010